(57)【要約】【課題】補足把手付スケージ手捺染機の中央に捺染型枠を差し入れた、この捺染型枠の上部を持ち上げて移動を容易にする。【解決手段】持ち上げアーム１の中心部に軸受け３を形成し、この軸受け３にシャフト５を貫通させ、このシャフト５の底面に型枠持ち上げ板６を固着し、上面部に線１３の端部を連結し、この線１３の片端部を回転軸金物１１、１２の回転軸部を通して把手１３を連結する。【選択図】　　　　図１
2004082673.tif 000002
【特許請求の範囲】
【請求項１】
軸受け固定金具（２）の一部に設けた軸穴に、軸受け（３）の下部を挿入して固着し、この軸受け（３）の上部を、軸受け取り付け金具（４）に設けた軸穴の下部から挿入し、その軸受け取り付け金具（４）の底面と、軸受け固定金具（２）の上面を固着させ、さらに、軸受け固定金具（２）の両側に、型枠持ち上げ板ふれ止め（８）を取り付け、そして、形成した軸受け取り付け金具（４）を、持ち上げアーム（１）の下部に取り付けた捺染型枠の上部を持ち上げる装置。
【請求項２】
持ち上げアーム（１）の中央部と上部に回転軸金物取り付け金具（９、１０）を取り付け、この回転軸金物取り付け金具（９、１０）の側部に回転軸金物（１１、１２）を取り付け、そして、形成した軸受け（３）にシャフト（５）を貫通させ、このシャフト（５）の底面に型枠持ち上げ板（６）を固着し、そして、シャフト（５）の中央部にシャフト止め（７）を取り付け、さらに、シャフト（５）の上部に線（１３）の端部を連結し、この線（１３）の片端部を回転軸金物（１１、１２）の回転軸部を通して把手（１４）を取り付け、そして、持ち上げアーム（１）の下部に持ち上げアーム取り付け金具（１５）を取り付け、この持ち上げアーム取り付け金具（１５）を補足把手付スケージ手捺染機の上部に取り付けた請求項１記載の捺染型枠の上部を持ち上げる装置。
【発明の詳細な説明】
【０００１】
【発明の属する技術分野】
本発明は、先に開発した補足把手付スケージ手捺染機の中央に差し入れた捺染型枠の定着ポイントへの移動について、その移動を補助する開発装置の製造方法に関する。
【０００２】
【従来の技術】
従来の補足把手付スケージ手捺染機においては、捺染型枠の左枠部を左手で持ち上げ、その捺染型枠の右端側部をレールに滑らせながら次の定着ポイントに移動している（特願平１１−２３０８２５号参照）。
【０００３】
【発明が解決しようとする課題】
従来の補足把手付スケージ手捺染機にあっては、補足把手付スケージを軽量化して製作している。しかし、捺染型枠の幅が大きい場合は、補足把手付スケージの幅も比例して大きくなり、そのために両方の重量が加重され、その加重された捺染型枠を左手で持ち上げて、定着ポイントに移動しながら捺染作業するので、長い布地または長い資材を捺染する場合は、捺染作業者の負担となる問題点があった。
【０００４】
本発明は、幅が大きくなったことにより加重された捺染型枠の上部を、捺染型枠の上部を持ち上げる装置で持ち上げて、捺染型枠を持ち易くすることにより、その捺染型枠の移動を容易にし、捺染作業者の負担を軽減することを目的としている。
【０００５】
【課題を解決するための手段】
上記目的を達成するために、その構成を説明すると、軸受け固定金具２の一部に設けた軸穴に、軸受け３の下部を挿入し固着させる。この形成した軸受け３の上部を、軸受け取り付け金具４の一部に設けた軸穴の下部から挿入し、その軸受け取り付け金具４の底面と、軸受け固定金具２の上面を固着する。さらに、形成した軸受け固定金具２の両側に、型枠持ち上げ板ふれ止め８を取り付ける。そして、形成した軸受け取り付け金具４を、持ち上げアーム１の下部に取り付ける。
【０００６】
また、持ち上げアーム１の中央部と上部に回転軸金物取り付け金具９、１０を取り付け、この回転軸金物取り付け金具９、１０の側部に、回転軸金物１１、１２を取り付ける。そして、形成した軸受け３にシャフト５を貫通させ、このシャフト５の底面に、型枠持ち上げ板６を固着し、そして、シャフト５の中央部にシャフト止め７を取り付ける。さらに、シャフト５の上部に線１３の端部を連結し、この線１３の片端部を回転軸金物１１、１２の回転軸部を通して把手１４を取り付ける。
【０００７】
そして、持ち上げアーム１の下部に、持ち上げアーム取り付け金具１５を取り付け、この持ち上げアーム取り付け金具１５を、補足把手付スケージ手捺染機に取り付ける。
【０００８】
【発明の実施の形態】
発明の実施の形態を実施例にもとづき図面を参照して説明する。
図１において、捺染型枠の上部を持ち上げる装置の中心部にある軸受け固定金具２の一部に設けた軸穴に、軸受け３の下部を挿入し、その上部が突出するようにネジによって固着させる。この形成した軸受け３の突出部を、軸受け取り付け金具４の一部に設けた軸穴の底面部から挿入し、この軸受け取り付け金具４の底面と軸受け固定金具２の上面をネジによって固着させ、さらに、形成した軸受け固定金具２の両端側面に、型枠持ち上げ板ふれ止め８をネジによって取り付け、そして、形成した軸受け取り付け金具４の側部を、持ち上げアーム１の下部にネジによって取り付ける。
【０００９】
さらに、図１において、持ち上げアーム１の中央部と上端部に、回転軸金物取り付け金具９、１０をネジによって取り付け、この回転軸金物取り付け金具９、１０の側部に回転軸金物１１、１２をネジによって取り付ける。そして、形成した軸受け３にシャフト５を貫通させて、このシャフト５の底面に型枠持ち上げ板６をネジによって固着し、そして、シャフト５の中央部にシャフト止め７をネジによってとりつけ、さらに、シャフト５の上面部に線１３の端部を連結し、この線１３の片端部を回転軸金物１１、１２の回転軸部を通して、把手１４を取り付ける。そして、形成した持ち上げアーム１の下部に持ち上げアーム取り付け金具１５を取り付けている。
【００１０】
図２に示される実施例では、捺染型枠の上部を持ち上げる装置の一部である持ち上げアーム取り付け金具１５を、補足把手付スケージ手捺染機の上枠部に取り付けて固定している。
【００１１】
図３に示される実施例では、捺染型枠の上部を持ち上げる装置を備えた補足把手付スケージ手捺染機の中央に、捺染型枠１６の下部に取り付けてあるポイント当て２３とスライド板２４を、捺染台１８の下部に設けている定着ポイント２０とレール１９に添わすようにして、この捺染型枠１６を差し入れている。さらに、捺染型枠１６の下部に、図４で示すように補足把手付スケージを差し入れている。
【００１２】
図５に示される実施例では、線１３の先端部に設けた把手１４を右手で持ち下げ、この線１３の片端部に上部が連結してあるシャフト５が、軸受け３をスライドさせて持ち上がり、このシャフト５の底面に固着してある型枠持ち上げ板６が、連動して捺染型枠１６の上部を持ち上げている。そして、移動については、把手１４を持ち下げ、この把手１４に連結した部品の連動力により、捺染型枠１６の上部を持ち上げたまま、この捺染型枠１６の左端部に取り付けてあるポイント当て２３が、レール１９に定着してある定着ポイント２０を少し超えるように、捺染型枠１６の左枠部に取り付けてある手持ち１７を左手で持ち上げて、この捺染型枠１６の右端部に取り付けてあるスライド板２４の側部をレール１９の側部に滑らせながら、ポイント当て２３を次の定着ポイント２０に添わし、同時に、右手で持った把手１４を持ち上げると捺染型枠１６が定着する。
【００１３】
【発明の効果】
本発明は、以上説明したように構成されているので、以下に記載されるような効果を奏する。
【００１４】
先に開発した補足把手付スケージ手捺染機にあっては、捺染型枠を左手で持ち上げて、定着ポイントに移動しながら捺染作業するので、幅が広い捺染型枠では、重量が加算され、捺染作業者の負担になった。しかし今回、開発した装置の一部である把手を右手で持ち下げると、その把手に連結した部品の連動力により、幅の広い捺染型枠の上部が一瞬のうちに持ち上がる。
【００１５】
そして、上部を持ち上げたことにより、持ち易くなった捺染型枠の左枠部に取り付けてある手持を、左手で軽々と持ち上げて、その捺染型枠の右側端部に取り付けてあるスライド板の側部をレールに滑らし、次の定着ポイントに移動する。同時に、右手で持ち下げた把手を持ち上げると、捺染型枠が瞬時に定着する。
【００１６】
上記に示すように、開発装置の一部である把手を持ち下げると、その連動力により、幅が広い捺染型枠の上部が一瞬のうちに持ち上がり、その捺染型枠の移動を容易にし、把手を持ち上げると、幅が広い捺染型枠が瞬時に定着する。このように、簡単な操作で開発装置の機能を発揮できるので、捺染作業者の負担を軽減することができる。また経営環境の厳しい手捺染業界では、手捺染作業は熟練を要するので、人材の確保が難しくなったが、開発装置は簡単に操作できるので、人材の確保が容易になる。
【００１７】
また、捺染型枠の上部を持ち上げる装置の要である線は、回転軸金物の回転軸部を円滑に上下し、その線と連結しているシャフトは、軸受けをスライドさせるので、横ぶれを抑制し、この開発装置の起動を円滑にしている。
【図面の簡単な説明】
【図１】捺染型枠の上部を持ち上げる装置の斜視図である。
【図２】捺染型枠の上部を持ち上げる装置の実施例を示す斜視図である。
【図３】捺染型枠の上部を持ち上げる装置の実施例を示す斜視図である。
【図４】捺染型枠の上部を持ち上げる装置の実施例を示す斜視図である。
【図５】捺染型枠の上部を持ち上げる装置の実施例を示す斜視図である。
【図６】捺染型枠の上部を持ち上げる装置の分解斜視図である。
【符号の説明】
１　持ち上げアーム
２　軸受け固定金具
３　軸受け
４　軸受け取り付け金具
５　シャフト
６　型枠持ち上げ板
７　シャフト止め
８　型枠持ち上げ板ふれ止め
９　回転軸金物取り付け金具
１０　回転軸金物取り付け金具
１１　回転軸金物
１２　回転軸金物
１３　線
１４　把手
１５　持ち上げアーム取り付け金具
【図１】
2004082673.tif 000003
【図２】
2004082673.tif 000004
【図３】
2004082673.tif 000005
【図４】
2004082673.tif 000006
【図５】
2004082673.tif 000007
【図６】
2004082673.tif 000008